(57)【要約】【課題】テーブル本体にモータの出力軸の回転を確実に伝達し、かつテーブル本体を回転させるのに必要な回転力を小さくすることができるターンテーブルを提供する。【解決手段】ターンテーブル１は、出力軸４１を有するモータ４０と、外歯車６１を外周に有し、出力軸４１に固定された回転伝達部材６０と、外歯車６１と係合する内歯車５６を内周に有する内部レース５３、及び内部レース５３に支持される転動体５４とでなるベアリングユニット５０と、を内装したケーシング２０において、ケーシング２０の上に、ベアリングユニット５０を介して、回転可能に支持されるととともに、ベアリングユニット５０の回転運動に基づいて回転するテーブル本体１０と、テーブル本体１０の中心に設けた回転端子１２と、回転端子１２に設けた電源ケーブル１３が貫設する貫通孔１１と、を備え、モータ４０は、ケーシング２０の中心に対して偏倚して設けられている。【選択図】図９
2016174653.tif 000002
【特許請求の範囲】
【請求項１】
出力軸を有するモータと、外歯車を外周に有し、前記出力軸に固定された回転伝達部材と、前記外歯車と係合する内歯車を内周に有する内部レース、及びこの内部レースに支持される転動体とでなるベアリングユニットと、を内装したケーシングにおいて、
このケーシングの上に、前記ベアリングユニットを介して、回転可能に支持されるととともに、このベアリングユニットの回転運動に基づいて回転するテーブル本体と、このテーブル本体の中心に設けた回転端子と、この回転端子に設けたケーブルが貫設する孔と、
を備え、
前記モータは、前記ケーシングの中心に対して偏倚して設けられているターンテーブル。
【請求項２】
前記ベアリングユニットは、
前記テーブル本体に固定されている第１外部レースと、
前記ケーシングに固定されている第２外部レースと、
を有し、
前記内部レースは、前記第１外部レースと前記第２外部レースとの間に設けられるとともに、前記第１外部レース、及び前記第２外部レースのそれぞれに対して相対的に回転する請求項１に記載のターンテーブル。
【請求項３】
前記内部レースには、前記内歯車よりも内周に向かって突出するとともに、前記回転伝達部材と近接するガイド板が内周に沿って形成されている請求項１又は２に記載のターンテーブル。
【発明の詳細な説明】
【技術分野】
【０００１】
本発明は、ターンテーブルに関する。
【背景技術】
【０００２】
ターンテーブルは、商品の展示等の用途に利用されている。例えば、特許文献１及び特許文献２には、モータの出力軸と、出力軸に固定されたテーブル本体とを備えるターンテーブルが記載されている。
【先行技術文献】
【特許文献】
【０００３】
【特許文献１】登録実用新案第３０８５２３３号公報
【特許文献２】特開平５−１３２１３４号公報
【発明の概要】
【発明が解決しようとする課題】
【０００４】
特許文献１及び特許文献２に記載のターンテーブルでは、モータの出力軸にテーブル本体の中心が固定されているため、出力軸の回転力が、テーブル本体に確実に伝達される利点はある。しかしながら、テーブル本体に設置される商品の重量が大きい場合、テーブル本体の回転に、大きな回転力が必要となり、モータへの負担が大きくなる。その結果、モータの回転に支障が発生すること、又はモータの故障の要因と成ること、等の問題があった。
【０００５】
本発明は、上述の事情の下になされたもので、テーブル本体にモータの出力軸の回転を確実に伝達し、かつテーブル本体を回転させるのに必要な回転力を小さくすることができるターンテーブルを提供する。
【課題を解決するための手段】
【０００６】
上述の目的を達成するために、本発明に係るターンテーブルは、
出力軸を有するモータと、外歯車を外周に有し、出力軸に固定された回転伝達部材と、外歯車と係合する内歯車を内周に有する内部レース、及び内部レースに支持される転動体とでなるベアリングユニットと、を内装したケーシングにおいて、
ケーシングの上に、ベアリングユニットを介して、回転可能に支持されるととともに、ベアリングユニットの回転運動に基づいて回転するテーブル本体と、テーブル本体の中心に設けた回転端子と、回転端子に設けたケーブルが貫設する孔と、
を備え、
モータは、ケーシングの中心に対して偏倚して設けられている。
【０００７】
前記ベアリングユニットは、
前記テーブル本体に固定されている第１外部レースと、
前記ケーシングに固定されている第２外部レースと、
を有し、
前記内部レースは、前記第１外部レースと前記第２外部レースとの間に設けられるとともに、前記第１外部レース及び前記第２外部レースのそれぞれに対して相対的に回転してもよい。
【０００８】
前記内部レースには、前記内歯車よりも内周に向かって突出するとともに、前記回転伝達部材と近接するガイド板が内周に沿って形成されていてもよい。
【発明の効果】
【０００９】
本発明によれば、回転伝達部材の外周に形成されている外歯車と、ベアリングユニットの内部レースの内周に形成されている内歯車とが係合する。また、モータは、ケーシングの中心に対して偏倚して設けられている。ケーシングの上には、ベアリングユニットの回転運動に基づいて回転するテーブル本体が設けられている。これにより、テーブル本体にモータの出力軸の回転を確実に伝達でき、かつテーブル本体の回転に要する回転力を小さくすることができる構造のターンテーブルを提供できる。
【図面の簡単な説明】
【００１０】
【図１】本発明の実施の形態に係るターンテーブルの斜視図である。
【図２】ターンテーブルの正面図である。
【図３】ターンテーブルの側面図である。
【図４】ターンテーブルの平面図である。
【図５】テーブル本体の斜視図である。
【図６】テーブル本体が１８０°回転した状態における、ターンテーブルの分解斜視図である。
【図７】ターンテーブルの底面図である。
【図８】回転伝達部材とベアリングユニットとが係合する様子を示す斜視図である。
【図９】図４のＡ−Ａ矢視におけるターンテーブルの断面図である。
【発明を実施するための形態】
【００１１】
以下、本発明に係るターンテーブル１について、図１〜図９を用いて説明する。
【００１２】
ターンテーブル１は、図１〜図３に示すように、最上部にテーブル本体１０を備える。ターンテーブル１は、例えば、テーブル本体１０には、商品（載置対象物）を載せて、載置対象物を回転させつつ、展示する。
【００１３】
テーブル本体１０は、略円板形状に形成された部材である。図４及び図５に示すように、テーブル本体１０の中心と外周との間には、上下に貫通する貫通孔１１が形成されている。貫通孔１１には、後述する電源ケーブルが貫通孔１１からずれることを防止するために、電源ケーブルを締め付ける樹脂製のキャップ１１ａが嵌め込まれている。
【００１４】
回転端子１２は、テーブル本体１０の中心に固定されている固定子と、外力を受けることによって固定子に対して回転軸（テーブル本体１０が回転運動するときの回転中心軸）回りに回転可能に設けられている回転子と、から構成されている。
【００１５】
ターンテーブル１は、図６に示すように、テーブル本体１０に加えて、ケーシング２０と、電源ケーブル３０と、モータ４０と、ベアリングユニット５０と、回転伝達部材６０と、を備える。
【００１６】
ケーシング２０は、モータ４０と、ベアリングユニット５０と、回転伝達部材６０と、を収容する。ケーシング２０は、回転軸方向に延びる円筒状に形成されている。ケーシング２０は、上側に向かって開口しており、底板２１によって下側が閉塞している。底板２１の下面には、図７に示すように、滑り止め及びガタつきのために、ゴムから形成されている６つの脚２２が取り付けられている。脚２２は、底板２１の外周に沿って、等間隔に取り付けられている。図６に戻り、ケーシング２０の側面には、電源プラグが差し込まれる２極の電源プラグ受け２３と、テーブル本体１０を回転させる制御スイッチ２４と、がそれぞれ取り付けられる。
【００１７】
電源ケーブル３０は、プラグ受け２３から延びる、ケーシング２０内の電源ケーブルである。具体的には、電源ケーブル３０は、ケーシング２０内の中心部に向かって延びる電源ケーブル３１と、制御スイッチ２４に向かって延びる電源ケーブル３２と、から構成されている。電源ケーブル３１は、ケーシング２０内の中心部で、３つの電源ケーブル３１ａ，３１ｂ，３１ｃに分岐している。
【００１８】
電源ケーブル３１ａ，３１ｂは、それぞれ、モータ４０，制御スイッチ２４と電気的に接続されている。
【００１９】
電源ケーブル３１ｃは、回転端子１２を介して、電源ケーブル３１ｄに接続されている。電源ケーブル３１ｃと電源ケーブル３１ｄとの間に回転端子１２が介設されており、テーブル本体１０とともに載置対象物が回転する際、電源ケーブル３１ｃに対して、電源ケーブル３１ｄは回転する。テーブル本体１０の回転に伴って、電源ケーブル３１ｄは、電源ケーブル３１ｃに対して捻じれない構造となっている。電源ケーブル３１ｄは、テーブル本体１０の溝１３に接着剤、テープ等で固定されている。電源ケーブル３１ｃは、回転端子１２、及び電源ケーブル３１ｄを介して、例えば、テーブル本体１０に載せられる載置対象物に光を照射するための電力を、テーブル本体１０に載せられる照明に供給することができる。
【００２０】
モータ４０は、例えば、ギヤードモータから構成されている。モータ４０は、ねじ等の止め具によって、ケーシング２０の底面に取り付けられている。モータ４０は、出力軸４１を有する。出力軸４１は、上側に向かって延びており、テーブル本体１０の中心に対して偏倚して設けられている。
【００２１】
ベアリングユニット５０は、図８及び図９に示すように、略円環形状のスラストボールベアリングから構成されている。具体的には、ベアリングユニット５０は、図８に示すように、第１外部レース５１（図面上で上側レース）と、第２外部レース５２（図面上で下側レース）と、第１外部レース５１と第２外部レース５２との間に設けられている内部レース５３と、第１外部レース５１と内部レース５３との間に介在している複数の転動体５４と、第２外部レース５２と内部レース５３との間に介在している複数の転動体５５と、から構成されている。ベアリングユニット５０の役割は、内部レース５３が回転伝達部材６０によって回転し、この回転に同期して転動体５４，５５が回転する。一方の転動体５４の回転は、この転動体５４と摺接する第１外部レース５１が（転動体５４との摩擦力で）回転する。従って、第１外部レース５１に接着剤等で固定されているテーブル本体１０が回転する構造である。他方の転動体５５の回転は、ケーシング２０に対して回転する内部レース５３との間の摩擦抵抗回避と、内部レース５３の回転を担持する。
【００２２】
第１外部レース５１と第２外部レース５２とは、環状形状で、断面視して山形形状と倒山形形状とに、それぞれ形成されており、この第１外部レース５１と第２外部レース５２には複数個の転動体５４，５５が、環状に、それぞれ回転自在に配備されている。そして、この環状に配備した転動体５４，５５間に、円板形状の内部レース５３が架承（支持）される。即ち、内部レース５３を、転動体５４，５５で支持し、この内部レース５３の回転を担持しつつ、内部レース５３の回転は、前述した如く、転動体５４に摩擦力を付与し、かつ転動体５５の回転を第２外部レース５２で受け止める構造である。また、後述するように転動体５４の摩擦力で第１外部レース５１が回転する。第１外部レース５１と第２外部レース５２とは、接着剤等により、テーブル本体１０と、ケーシング２０とに、それぞれ固定されている。
【００２３】
内部レース５３には、内周辺の上部に内歯車５６が形成されている。また、内部レース５３には、内周辺の下部に、この内周辺より、内歯車５６に向かって突出し、回転伝達部材６０と近接するガイド板５７が形成されている。ガイド板５７は、回転伝達部材６０の下側に配備されており、回転伝達部材６０の盲動を抑制し、この回転伝達部材６０の回転を内部レース５３に確実に伝達する構造となっている。
【００２４】
回転伝達部材６０は、モータ４０の出力軸４１の回転を、ベアリングユニット５０を介して、テーブル本体１０に伝達する部材である。回転伝達部材６０は、出力軸４１に固定されており、円板形状に形成された部材である。回転伝達部材６０の外周に設けた外歯車６１は、ベアリングユニット５０の内部レース５３に形成されている内歯車５６に噛合する。尚、回転伝達部材６０の外半径Ｌ１は、内部レース５３の内半径Ｌ２よりも小さい。このため内部レース５３の中心に出力軸４１を設けて内部レース５３を回転させる場合よりも、てこの原理により、小さな力で内部レース５３を回転させ得る。
【００２５】
次に、図９を用いて、ターンテーブル１の動作について説明する。ターンテーブル１のテーブル本体１０には、各種の展示物、例えば、載置対象物を載せる。
【００２６】
制御スイッチ２４をオンにすると、モータ４０の出力軸４１が回転し、かつテーブル本体１０、及び載置対象物が回転する。出力軸４１の回転は、回転伝達部材６０に伝達される（回転伝達部材６０が回転する）。
【００２７】
回転伝達部材６０の外歯車６１は、ベアリングユニット５０の内部レース５３に形成されている内歯車５６に噛合する。これによって、回転伝達部材６０の回転が、内部レース５３に伝達されるとともに、転動体５４が回転する。そして、転動体５４との摩擦力で第１外部レース５１が回転する。
【００２８】
第１外部レース５１が回転すると、テーブル本体１０及び載置対象物も回転するので、載置対象物の展示効果を高め得る。第１外部レース５１の回転は、前述の如く、テーブル本体１０及び載置対象物を回転する。従って、載置対象物の回転は、展示効果を高め得る。
【００２９】
また、例えば、ターンテーブル１を、ユーザが指で載置対象物を押すことで、テーブル本体１０に所定以上の荷重が加わった場合には、第１外部レース５１は内部レース５３に対して相対的に回転する。これにより、回転伝達部材６０の回転力は、テーブル本体１０に伝達されず、回転伝達部材６０の回転力の伝達が遮断される。結果として、ユーザの安全性が担保される。
【００３０】
以上、説明したように、ターンテーブル１は、外歯車６１が外周に形成されている回転伝達部材６０と、内歯車５６が内周に形成されている内部レース５３を有するベアリングユニット５０と、を備える。外歯車６１と内歯車５６は係合する。これにより、テーブル本体１０にモータ４０の出力軸４１の回転を確実に伝達できる。また、モータ４０、及び出力軸４１は、ケーシング２０の中心に対して偏倚して設けられている。これにより、てこの原理で、テーブル本体１０の回転に必要な回転力を小さくすることができる。
【００３１】
また、ベアリングユニット５０は、テーブル本体１０に固定されている第１外部レース５１と、ケーシング２０に固定されている第２外部レース５２とを有する。内部レース５３は、第１外部レース５１と第２外部レース５２との間に設けられるとともに、第１外部レース５１及び第２外部レース５２のそれぞれに対して相対的に回転する。これにより、テーブル本体１０に所定以上の荷重が加わった場合には、第１外部レース５１と転動体５４との摩擦力が低減され（摩擦力が無くなり）、内部レース５３に対して相対的に回転する。このため、回転伝達部材６０の回転力は、テーブル本体１０に伝達されない。結果として、ユーザの安全性が担保される。
【００３２】
また、ターンテーブル１は、回転端子１２と、回転端子１２を介して、テーブル本体１０に載せられる載置対象物に光を照射可能とする電源ケーブル３１ｄと、を備える。回転端子１２の回転子に繋いだ電源ケーブル３１ｄが、テーブル本体１０の中心と外周との間に形成されている貫通孔１１を介して、このテーブル本体１０の上方に引き出されている。従って、テーブル本体１０と電源ケーブル３１ｄとが回転しても、回転端子１２の回転子が回転するため、載置対象物に光を照射可能とするには障害とならない。
【００３３】
また、回転端子１２の回転子に接続されたて電源ケーブル３１ｄは、テーブル本体１０の裏面に凹設した溝１３に陥没状に設けられ、テーブル本体１０よりずれない構造となっている。また、前述の如く、電源ケーブル３１ｄは、回転子に接続されることから、テーブル本体１０が回転しても支障がなく、かつテーブル本体１０に載せられる載置対象物に電力を供給できる。
【００３４】
また、この一例では、回転端子１２の固定子は、テーブル本体１０の中心に固定されており、貫通孔１１は、テーブル本体１０の中心とは異なる位置に形成されている。回転端子１２がテーブル本体１０の中心とは異なる場所に固定されていた場合、テーブル本体１０が回転すると、電源ケーブル３１ｃはケーシング２０内で円運動を行う。これに対し、回転端子１２がテーブル本体１０の中心に固定されているため、電源ケーブル３１ｃがケーシング２０内で動くことがなく、電源ケーブル３１ｃに負荷がかからなくなる。
【００３５】
以上、本発明の実施形態について説明したが、本発明は、上記実施形態によって限定されるものではない。例えば、以下のように変形して実施することもできる。
【００３６】
テーブル本体１０の中心部と外周との間には、貫通孔１１が形成されていた。しかしながら、貫通孔１１は、テーブル本体１０の中心部に形成されていてもよい。
【００３７】
溝１３は、テーブル本体１０の下面に凹設したが、溝１３の設計変更は任意であり、テーブル本体１０の上面に凹設することもよいし、曲線状の溝等の変形例も可能である（図示しない）。
【００３８】
場合により、溝１３は省略できる。テーブル本体１０の製造の容易化と、低廉化に寄与できる。
【００３９】
本発明は、本発明の広義の精神と範囲を逸脱することなく、様々な実施形態及び変形が可能とされるものである。上述した実施形態は、本発明を説明するためのものであり、本発明の範囲を限定するものではない。
【符号の説明】
【００４０】
１  ターンテーブル
１０  テーブル本体
１１  貫通孔
１１ａ  キャップ
１２  回転端子
１３  溝
２０  ケーシング
２１  底板
２２  脚
２３  電源プラグ受け
２４  制御スイッチ
３０，３１，３１ａ，３１ｂ，３１ｃ，３１ｄ，３２  電源ケーブル
４０  モータ
４１  出力軸
５０  ベアリングユニット
５１  第１外部レース
５２  第２外部レース
５３  内部レース
５４，５５  転動体
５６  内歯車
５７  ガイド板
６０  回転伝達部材
６１  外歯車
Ｌ１  外半径
Ｌ２  内半径
【図１】
2016174653.tif 000003
【図２】
2016174653.tif 000004
【図３】
2016174653.tif 000005
【図４】
2016174653.tif 000006
【図５】
2016174653.tif 000007
【図６】
2016174653.tif 000008
【図７】
2016174653.tif 000009
【図８】
2016174653.tif 000010
【図９】
2016174653.tif 000011
【手続補正書】
【提出日】平成27年4月7日(2015.4.7)
【手続補正１】
【補正対象書類名】明細書
【補正対象項目名】０００６
【補正方法】変更
【補正の内容】
【０００６】
上述の目的を達成するために、本発明に係るターンテーブルは、
出力軸を有するモータと、
外歯車を外周に有し、前記出力軸に固定された回転伝達部材と、
前記外歯車と係合する内歯車を内周に有する内部レース、及びこの内部レースに支持される転動体とでなるベアリングユニットと、
前記モータと前記回転伝達部材と前記ベアリングユニットとを内装したケーシングと、
このケーシングの上に設けられ、前記ベアリングユニットを介して、回転可能に支持されるととともに、このベアリングユニットの回転運動に基づいて回転するテーブル本体と、
このテーブル本体の中心に設けた回転端子と、
前記テーブル本体に開口した、この回転端子に設けたケーブルが貫設する孔と、
を備え、
前記モータは、前記ケーシングの中心に対して偏倚して設けられている。
【手続補正２】
【補正対象書類名】明細書
【補正対象項目名】０００７
【補正方法】変更
【補正の内容】
【０００７】
前記ベアリングユニットは、
前記テーブル本体に固定されている第１外部レースと、
前記ケーシングに固定されている第２外部レースと、
を有し、
前記内部レースは、前記第１外部レースと前記第２外部レースとの間に設けられるとともに、前記第１外部レース、及び前記第２外部レースのそれぞれに対して相対的に回転可能としてもよい。
【手続補正３】
【補正対象書類名】特許請求の範囲
【補正対象項目名】全文
【補正方法】変更
【補正の内容】
【特許請求の範囲】
【請求項１】
出力軸を有するモータと、
外歯車を外周に有し、前記出力軸に固定された回転伝達部材と、
前記外歯車と係合する内歯車を内周に有する内部レース、及びこの内部レースに支持される転動体とでなるベアリングユニットと、
前記モータと前記回転伝達部材と前記ベアリングユニットとを内装したケーシングと、
このケーシングの上に設けられ、前記ベアリングユニットを介して、回転可能に支持されるととともに、このベアリングユニットの回転運動に基づいて回転するテーブル本体と、
このテーブル本体の中心に設けた回転端子と、
前記テーブル本体に開口した、この回転端子に設けたケーブルが貫設する孔と、
を備え、
前記モータは、前記ケーシングの中心に対して偏倚して設けられているターンテーブル。
【請求項２】
前記ベアリングユニットは、
前記テーブル本体に固定されている第１外部レースと、
前記ケーシングに固定されている第２外部レースと、
を有し、
前記内部レースは、前記第１外部レースと前記第２外部レースとの間に設けられるとともに、前記第１外部レース、及び前記第２外部レースのそれぞれに対して相対的に回転可能とする請求項１に記載のターンテーブル。
【請求項３】
前記内部レースには、前記内歯車よりも内周に向かって突出するとともに、前記回転伝達部材と近接するガイド板が内周に沿って形成されている請求項１又は２に記載のターンテーブル。